(57)【要約】【課題】バッテリの消費電力を抑制し得る自動水栓を提供する。【解決手段】自動水栓１は、バッテリ８１と、バッテリ８１からの出力電圧を昇圧して出力する昇圧回路８２と、昇圧回路８２からの出力電圧に基づいて充電されるコンデンサ８３と、を備えている。さらに、自動水栓１は、コンデンサ８３から供給される電力に基づいて駆動する原水用センサ６０Ａ、浄水用センサ６０Ｂ、原水用開閉弁４０、及び浄水用開閉弁４２と、バッテリ８１から供給される電力に基づいて動作し、これらの負荷を駆動させる制御を行う制御回路７１と、を備えている。制御回路７１は、昇圧回路８２に昇圧動作を行わせるオン制御と、昇圧回路８２に昇圧動作を行わせないオフ制御と、を切り替える。【選択図】図２
2020051074.tif 000002
【特許請求の範囲】
【請求項１】
センサが検知対象物を検知することで、電磁弁を閉弁状態から開弁状態として吐水部から吐水させる自動水栓であって、
バッテリと、
前記バッテリからの出力電圧を昇圧して出力する昇圧回路と、
前記昇圧回路からの出力電圧に基づいて充電される蓄電部と、
前記蓄電部から供給される電力に基づいて駆動する電気負荷部と、
前記バッテリから供給される電力に基づいて動作し、前記電気負荷部を駆動させる制御を行う制御回路と、
を備え、
前記制御回路は、前記昇圧回路に昇圧動作を行わせるオン制御と、前記昇圧回路に昇圧動作を行わせないオフ制御と、を切り替えることを特徴とする自動水栓。
【請求項２】
前記制御回路は、前記オフ制御から前記オン制御へ切り替える場合に、前記電気負荷部を駆動させる制御を行うことを特徴とする請求項１に記載の自動水栓。
【請求項３】
前記制御回路は、前記オフ制御から前記オン制御に切り替えることで前記昇圧回路の昇圧動作により前記蓄電部の充電電圧が所定の目標電圧値になった場合に、前記オン制御から前記オフ制御に切り替えることを特徴とする請求項１又は請求項２に記載の自動水栓。
【発明の詳細な説明】
【技術分野】
【０００１】
本発明は、自動水栓に関するものである。
【背景技術】
【０００２】
特許文献１の吐水装置は、給水源に連通する給水路が形成されている。給水路は、止水栓、ラッチングソレノイドバルブを経て吐水口に至るように構成されている。また、吐水装置は、回路構成として、乾電池、昇圧回路部、センサ部、バルブ駆動部、および信号処理部を備えている。そして、昇圧回路部は、乾電池の出力電圧を昇圧して、センサ部、バルブ駆動部、および信号処理部に給電する構成である。
【先行技術文献】
【特許文献】
【０００３】
【特許文献１】特開平１０−３０６８８４号公報
【発明の概要】
【発明が解決しようとする課題】
【０００４】
特許文献１のような回路構成では、乾電池が直接的に昇圧回路部に接続される構成であり、乾電池から昇圧回路部に対して、常に電力が供給されることになる。そのため、乾電池に蓄えられた電力が、昇圧回路部の動作によって常に消費されることになり、乾電池の寿命が短くなってしまう。このような問題に対して、乾電池に蓄えられた電力が、昇圧回路部の昇圧動作を介して電気負荷部に供給される構成であっても、消費電力を低減し得る構成が求められている。
【０００５】
本発明は上記のような事情に基づいて完成されたものであって、バッテリの消費電力を抑制し得る自動水栓を提供することを解決すべき課題としている。
【課題を解決するための手段】
【０００６】
本発明の自動水栓は、
センサが検知対象物を検知することで、電磁弁を閉弁状態から開弁状態として吐水部から吐水させる自動水栓であって、
バッテリと、
前記バッテリからの出力電圧を昇圧して出力する昇圧回路と、
前記昇圧回路からの出力電圧に基づいて充電される蓄電部と、
前記蓄電部から供給される電力に基づいて駆動する電気負荷部と、
前記バッテリから供給される電力に基づいて動作し、前記電気負荷部を駆動させる制御を行う制御回路と、
を備え、
前記制御回路は、前記昇圧回路に昇圧動作を行わせるオン制御と、前記昇圧回路に昇圧動作を行わせないオフ制御と、を切り替えることを特徴とする。
【０００７】
この自動水栓は、制御回路が、昇圧回路に昇圧動作を行わせるオン制御と、昇圧回路に昇圧動作を行わせないオフ制御と、を切り替える構成である。これにより、昇圧回路は、昇圧動作を行なう必要がないときに、制御回路にオン制御からオフ制御に切替させて、昇圧動作を行わなくなる。そのため、昇圧回路は、所望のタイミングで昇圧動作を行わなくなり、昇圧動作を継続し続ける構成と比べて、バッテリの消費電力を低減することができる。
【図面の簡単な説明】
【０００８】
【図１】実施例１の自動水栓の構成を概略的に示す説明図である。
【図２】自動水栓の電気的構成を例示するブロック図である。
【図３】自動水栓で行われる吐水制御のタイミングチャートである。
【図４】実施例２の自動水栓で行われる吐水制御のタイミングチャートである。
【発明を実施するための形態】
【０００９】
本発明における好ましい実施の形態を説明する。
【００１０】
本発明の自動水栓は、制御回路が、オフ制御からオン制御へ切り替える場合に、電気負荷部を駆動させる制御を行い得る。
この場合、この自動水栓は、昇圧回路の動作タイミング（制御回路によるオフ制御からオン制御への切り替え）に合わせて、電気負荷部を駆動させることができる。そのため、自動水栓は、昇圧回路から蓄電部に電力を供給させつつ、電気負荷部を蓄電部に蓄えられた電力に基づいて駆動させることができる。
【００１１】
本発明の自動水栓は、制御回路が、オフ制御からオン制御に切り替えることで昇圧回路の昇圧動作により蓄電部の充電電圧が所定の目標電圧値になった場合に、オン制御からオフ制御に切り替え得る。
この場合、この自動水栓は、電気負荷部によって蓄電部に蓄えられた電力をどの程度消費されたとしても、必ず充電電圧が所定の目標電圧値となるように充電された状態で昇圧回路の動作が停止することになる。そのため、再び電気負荷部を駆動させる際に、蓄電部が充電電圧を所定の目標電圧値で維持しているため、電気負荷部を安定して動作させることができる。
【００１２】
次に、本発明の自動水栓を具体化した実施例１について、図面を参照しつつ説明する。
【００１３】
＜実施例１＞
実施例１の自動水栓１は、図１に示すように、カウンタ９０上に起立した状態で設置されている。自動水栓１は、水栓本体１０、原水用開閉弁４０、浄水用開閉弁４２、定流量弁４４、制御装置７０、及びバッテリボックス８０などを備えている。
【００１４】
水栓本体１０は、基部１２と、吐水管部１４と、を有する。基部１２は、カウンタ９０上に設置されている。基部１２は、混合弁２０を内蔵している。混合弁２０には、給水路３０が接続されており、給水元管からの水が止水栓５０を経て給水路３０を通じて供給される。また、混合弁２０には、給湯路３２が接続されており、給湯元管からの湯が止水栓５２を経て給湯路３２を通じて供給される。混合弁２０は、給水路３０から供給された水と給湯路３２から供給された湯とを、後述のレバーハンドル２２の操作に応じて任意の比率で混合して適温の温水とし、水栓本体１０の内側に形成された流出路３４から流出させる。
【００１５】
基部１２は、混合弁２０を操作するレバーハンドル２２を備える。レバーハンドル２２は、左右に回動自在となっており、左右に回動操作されることで、水と湯との混合比率（混合水の温度）を調節する。また、レバーハンドル２２は、上下に回動自在となっており、上下に回動操作されることで、温水の吐出流量を調節する。
【００１６】
吐水管部１４は、基部１２の上部から上方に延び、前方に向かうにつれて下方に湾曲して垂れ下がっている。吐水管部１４は、吐水口が形成された吐水部１６を先端に有する。吐水部１６は、流出路３４に接続しており、流出路３４を通じて供給された水を吐出する。
【００１７】
原水用開閉弁４０は、流出路３４上に設けられており、後述するバッテリボックス８０が有するコンデンサ８３（図２参照）に蓄えられる電力を駆動源として駆動される。原水用開閉弁４０は、後述する制御装置７０と電気的に接続されており、制御装置７０からの指示に応じて、流出路３４を開放する開放位置と流出路３４を閉塞する閉塞位置との間で移動する。
【００１８】
給水路３０上には、混合弁２０側への水の流れを許容する一方、逆方向の流れを阻止する逆止弁５４が設けられている。また、給湯路３２上には、混合弁２０側への湯の流れを許容する一方、逆方向の流れを防止する逆止弁５６が設けられている。
【００１９】
給水路３０は、逆止弁５４よりも下流側の位置から浄水路３６が分岐している。浄水路３６は、下流側の端部が原水用開閉弁４０よりも下流側の位置で流出路３４に接続している。浄水路３６上には、浄水器として機能する浄水カートリッジ９１が設けられており、浄水路３６に流入した水は、浄水カートリッジ９１で浄化された後、流出路３４に流出される。なお、以下では、浄水カートリッジ９１で浄化された水を「浄水」とも称し、浄化されていない水を「原水」とも称する。
【００２０】
浄水用開閉弁４２及び定流量弁４４は、浄水路３６上に設けられている。浄水用開閉弁４２は、後述するバッテリボックス８０が有するコンデンサ８３（図２参照）に蓄えられる電力を駆動源として駆動される。浄水用開閉弁４２は、制御装置７０と電気的に接続されており、制御装置７０からの指示に応じて、浄水路３６を開放する開放位置と浄水路３６を閉塞する閉塞位置との間で移動する。
【００２１】
原水用センサ６０Ａは、原水を吐出させるための操作を検知するセンサである。浄水用センサ６０Ｂは、浄水を吐出させるための操作を検知するセンサである。原水用センサ６０Ａ及び浄水用センサ６０Ｂの各々は、例えば、公知の赤外線センサによって構成され、発光素子（例えばＬＥＤ等）、及び受光素子（例えばフォトダイオード等）を備えている。原水用センサ６０Ａ及び浄水用センサ６０Ｂの各々は、吐水管部１４における下方に湾曲して垂れ下がった部分の上側に設けられており、吐水管部１４の上方を検知領域としている。原水用センサ６０Ａは、浄水用センサ６０Ｂの前方に配置されており、原水用センサ６０Ａの検知領域は、浄水用センサ６０Ｂの検知領域よりも前方に設けられている。原水用センサ６０Ａ及び浄水用センサ６０Ｂの各々は、発光素子から赤外線が照射され、吐水管部１４の上方に位置する指などで反射された赤外線を受光素子によって受光することにより、吐水管部１４の上方に手などが位置していることを検知する。原水用センサ６０Ａは、制御装置７０に電気的に接続されており、手などを検知したことに基づき、検知信号を制御装置７０に出力する。
【００２２】
次に、自動水栓１の電気的構成について説明する。自動水栓１は、図２に示すように、電気的構成として、制御装置７０と、バッテリボックス８０と、原水用センサ６０Ａと、浄水用センサ６０Ｂと、原水用開閉弁４０と、浄水用開閉弁４２と、を備えている。原水用センサ６０Ａ、浄水用センサ６０Ｂ、原水用開閉弁４０、及び浄水用開閉弁４２は、本発明の「電気負荷部」の一例に相当する。原水用センサ６０Ａ、及び浄水用センサ６０Ｂは、本発明の「センサ」の一例に相当する。原水用開閉弁４０、及び浄水用開閉弁４２は、本発明の「電磁弁」の一例に相当する。
【００２３】
バッテリボックス８０は、図２に示すように、バッテリ８１と、昇圧回路８２と、コンデンサ８３と、を有している。バッテリ８１は、使用者が交換することが可能な電池であり、例えば乾電池や蓄電池である。バッテリ８１は、昇圧回路８２及び制御回路７１に電力を供給する。昇圧回路８２は、バッテリ８１からの出力電圧を昇圧して出力する公知の昇圧回路であり、例えばスイッチング制御によって入力電圧を昇圧して出力するＤＣＤＣコンバータや、コンデンサ及びダイオードを用いたチャージポンプ回路などによって構成されている。コンデンサ８３は、本発明の「蓄電部」の一例に相当し、昇圧回路８２からの出力電圧に基づいて充電される電力チャージ用のコンデンサである。
【００２４】
制御装置７０は、図２に示すように、制御回路７１と、センサ駆動回路７２と、電磁弁駆動回路７３と、を備えている。制御回路７１は、例えばマイクロコンピュータとして構成され、ＣＰＵ等の演算装置、ＲＯＭ又はＲＡＭ等のメモリ等を有する。制御回路７１は、バッテリ８１から供給される電力（例えば３Ｖの出力電圧で供給される電力）に基づいて動作し、昇圧回路８２、原水用センサ６０Ａ、浄水用センサ６０Ｂ、原水用開閉弁４０、及び浄水用開閉弁４２などの動作を制御するように機能する。
【００２５】
センサ駆動回路７２は、制御回路７１から駆動指令（信号）が与えられた場合に、原水用センサ６０Ａ及び浄水用センサ６０Ｂを駆動するように機能する。具体的には、センサ駆動回路７２は、制御回路７１から駆動指令（信号）が与えられた場合に、原水用センサ６０Ａ及び浄水用センサ６０Ｂを駆動させ、発光素子によって光を照射させ、吐水管部１４の上方に位置する手などで反射された光を受光素子で受光させる。
【００２６】
電磁弁駆動回路７３は、制御回路７１から駆動指令（信号）が与えられた場合に、原水用開閉弁４０又は浄水用開閉弁４２を駆動するように機能する。具体的には、電磁弁駆動回路７３は、原水用開閉弁４０が閉塞位置にある状況下で、制御回路７１から原水用開閉弁４０の駆動指令（信号）が与えられた場合に、原水用開閉弁４０を閉塞位置から開放位置へ移動させる。一方で、電磁弁駆動回路７３は、原水用開閉弁４０が開放位置にある状況下で、制御回路７１から原水用開閉弁４０の駆動指令が与えられた場合に、原水用開閉弁４０を開放位置から閉塞位置へ移動させる。
【００２７】
また、電磁弁駆動回路７３は、浄水用開閉弁４２が閉塞位置にある状況下で、制御回路７１から浄水用開閉弁４２の駆動指令が与えられた場合に、浄水用開閉弁４２を閉塞位置から開放位置へ移動させる。一方で、電磁弁駆動回路７３は、浄水用開閉弁４２が開放位置にある状況下で、制御回路７１から浄水用開閉弁４２の駆動指令が与えられた場合に、浄水用開閉弁４２を開放位置から閉塞位置へ移動させる。
【００２８】
次に、自動水栓１で行われる吐水制御について、図３を用いて説明する。
制御回路７１は、図３に示すように、一定の駆動周期で周期的（間欠的）に通常モード（高速動作可能なモード）での動作を行う。具体的には、制御回路７１は、通常モードとなる起動タイミングの時間間隔（駆動周期）が常に一定（図３では時間Ｐ１）となるように、消費電力が大きい通常モードと、消費電力が小さいストップモードと、を繰り返すように動作する。なお、制御回路７１は、各センサ６０Ａ，６０Ｂ、及び各開閉弁４０，４２が安定して動作する目標充電電圧（例えば６Ｖ）でコンデンサ８３が充電された状態で、昇圧回路８２の動作停止させる構成となっている。
【００２９】
制御回路７１は、例えば、時間Ｔ１で起動し、昇圧回路８２に昇圧動作を行わせるオン制御（駆動信号の出力）を行う。ここで、昇圧回路８２は、制御回路７１が時間Ｐ１の駆動周期で周期的に起動するため、時間Ｐ２の駆動周期で周期的に動作することになる。そして、昇圧回路８２は、制御回路７１から駆動信号が入力されると、バッテリ８１からの出力電圧を昇圧して、昇圧した電圧でコンデンサ８３に電力を供給する。
【００３０】
また、制御回路７１は、起動したタイミング（時間Ｔ１）で、センサ駆動回路７２に駆動信号を出力して、原水用センサ６０Ａ及び浄水用センサ６０Ｂを駆動させる。センサ駆動回路７２は、コンデンサ８３から供給される電力に基づいて、一定の駆動時間（Ｔ１からＴ２までの時間）で駆動するようになっている。なお、原水用センサ６０Ａ及び浄水用センサ６０Ｂは、コンデンサ８３が予め目標充電電圧（６Ｖ）で充電されているため、安定して駆動する。
【００３１】
以上のように、制御回路７１は、昇圧回路８２の動作タイミング（制御回路７１によるオフ制御からオン制御への切り替え）に合わせて、原水用センサ６０Ａ及び浄水用センサ６０Ｂを駆動させる。そのため、コンデンサ８３に昇圧回路８２から電力を供給させつつ、原水用センサ６０Ａ及び浄水用センサ６０Ｂをコンデンサ８３に蓄えられた電力に基づいて駆動させることができる。これにより、昇圧回路８２によって効率的に電力供給することができる。
【００３２】
昇圧回路８２は、時間Ｔ１から動作を開始して、コンデンサ８３の充電電圧が目標充電電圧（６Ｖ）になるまで動作して、コンデンサ８３に電力を供給する。制御回路７１は、例えば図示しない電圧検出回路によってコンデンサ８３の充電電圧を検出し、コンデンサ８３の充電電圧が目標充電電圧（６Ｖ）になるタイミング（時間Ｔ３）で、昇圧回路８２の駆動信号の出力を停止する。具体的には、制御回路７１は、昇圧回路８２に昇圧動作を行わせないオフ制御（駆動信号の出力の停止）を行う。そして、制御回路７１は、ストップモードに移行する。
【００３３】
以上のように、制御回路７１は、昇圧回路８２に対して、昇圧動作を行わせるオン制御と、昇圧動作を行わせないオフ制御と、を切り替える。これにより、昇圧回路８２は、昇圧動作を行なう必要がないときに、制御回路７１がオン制御からオフ制御に切り替えることで、昇圧動作を行わなくなる。そのため、昇圧回路８２は、時間Ｐ１の周期で昇圧動作を行わない期間が生じ、昇圧動作を常時行う構成と比べて、バッテリ８１の消費電力を低減することができる。
【００３４】
続いて、制御回路７１は、時間Ｔ４（時間Ｔ１から駆動周期である時間Ｐ１が経過した時間）で、再び起動し、昇圧回路８２に昇圧動作を行わせるオン制御（駆動信号の出力）を行う。昇圧回路８２は、制御回路７１から駆動信号が入力されると、バッテリ８１からの出力電圧を昇圧して、昇圧した電圧でコンデンサ８３に電力を供給する。また、制御回路７１は、起動したタイミング（時間Ｔ４）で、センサ駆動回路７２に駆動信号を出力して、原水用センサ６０Ａ及び浄水用センサ６０Ｂを駆動させる。センサ駆動回路７２は、一定の時間間隔（図３ではＰ３）で駆動することになる。また、センサ駆動回路７２は、一定の駆動時間（Ｔ４からＴ５までの時間）で駆動する。
【００３５】
センサ駆動回路７２が駆動している間（時間Ｔ４から間Ｔ５までの間）に、原水用センサ６０Ａが検知対象物（手など）を検知した場合、検知信号を制御装置７０に出力する。制御装置７０は、原水用センサ６０Ａから検知信号を取得した場合、センサ駆動回路７２に駆動信号を出力して、センサ駆動回路７２を駆動させる。センサ駆動回路７２は、制御装置７０から駆動信号を取得したタイミング（時間Ｔ５）で、閉塞位置に配置されている状態の原水用開閉弁４０を閉塞位置から開放位置へ移動させる。これにより、自動水栓１は、流出路３４を通じて供給された原水を吐水部１６から吐出する。
【００３６】
また、センサ駆動回路７２が駆動している間（時間Ｔ４から間Ｔ５までの間）に、浄水用センサ６０Ｂが検知対象物（手など）を検知した場合、検知信号を制御装置７０に出力する。制御装置７０は、浄水用センサ６０Ｂから検知信号を取得した場合、センサ駆動回路７２に駆動信号を出力して、センサ駆動回路７２を駆動させる。センサ駆動回路７２は、時間Ｔ５から時間Ｔ６に至るまでの動作によって、閉塞位置に配置されている状態の浄水用センサ６０Ｂを閉塞位置から開放位置へ移動させる。これにより、自動水栓１は、流出路３４を通じて供給された浄水を吐水部１６から吐出する。
【００３７】
昇圧回路８２は、時間Ｔ４から動作を開始して、コンデンサ８３の充電電圧が目標充電電圧（６Ｖ）になるまで動作して、コンデンサ８３に電力を供給する。制御回路７１は、コンデンサ８３の充電電圧が目標充電電圧（６Ｖ）になるタイミング（時間Ｔ７）で、昇圧回路８２の駆動信号の出力を停止する。制御回路７１は、オフ制御によって昇圧回路８２の駆動を停止させるとともに、ストップモードに移行する。
【００３８】
続いて、制御回路７１は、時間Ｔ８（時間Ｔ４から駆動周期である時間Ｐ１が経過した時間）で再び起動し、昇圧回路８２に昇圧動作を行わせるオン制御（駆動信号の出力）を行う。昇圧回路８２は、制御回路７１から駆動信号が入力されると、バッテリ８１からの出力電圧を昇圧して、昇圧した電圧でコンデンサ８３に電力を供給する。また、制御回路７１は、起動したタイミング（時間Ｔ８）で、センサ駆動回路７２に駆動信号を出力して、原水用センサ６０Ａ及び浄水用センサ６０Ｂを駆動させる。
【００３９】
ここで、昇圧回路８２は、コンデンサ８３の充電電圧を目標充電電圧（６Ｖ）になるまで充電してから昇圧回路８２の駆動を停止させている。そのため、再び原水用センサ６０Ａ及び浄水用センサ６０Ｂを駆動させる際に、これらセンサを安定して動作させ得る電力（出力電圧６Ｖで供給される電力）で原水用センサ６０Ａ及び浄水用センサ６０Ｂを駆動させることができる。これにより、センサ駆動回路７２は、前回の駆動間隔と同様の駆動間隔（図３ではＰ３）で駆動することになる。
【００４０】
以降、時間Ｔ１から時間Ｔ９までの制御と同様に、制御回路７１が時間Ｐ１の駆動周期で周期的に起動し、昇圧回路８２が時間Ｐ２の駆動周期で周期的に動作することで、センサ駆動回路７２は、時間Ｐ３で周期的に動作することになる。
【００４１】
なお、自動水栓１が原水の吐出状態にある場合、原水用センサ６０Ａによる再度の検知対象物の検知によって、原水用開閉弁４０が閉塞位置から開放位置へ移動させられ、止水される。同様に、自動水栓１が浄水の吐出状態にある場合、浄水用センサ６０Ｂによる再度の検知対象物の検知によって、浄水用開閉弁４２が閉塞位置から開放位置へ移動させられ、止水される。
【００４２】
以下、本構成の効果を例示する。
実施例１の自動水栓１は、制御回路７１が、昇圧回路８２に昇圧動作を行わせるオン制御と、昇圧回路８２に昇圧動作を行わせないオフ制御と、を切り替える構成である。これにより、昇圧回路８２は、昇圧動作を行なう必要がないときに、制御回路７１にオン制御からオフ制御に切替させて、昇圧動作を行わなくなる。そのため、昇圧回路８２は、所望のタイミングで昇圧動作を行わなくなり、昇圧動作を継続し続ける構成と比べて、バッテリ８１の消費電力を低減することができる。
【００４３】
また、制御回路７１は、オフ制御からオン制御へ切り替える場合に、電気負荷部を駆動させる制御を行う構成である。
これにより、自動水栓１は、昇圧回路８２の動作タイミング（制御回路７１によるオフ制御からオン制御への切り替え）に合わせて、各センサ６０Ａ，６０Ｂ及び各開閉弁４０，４２を駆動させることができる。そのため、自動水栓１は、昇圧回路８２からコンデンサ８３に電力を供給させつつ、各センサ６０Ａ，６０Ｂ及び各開閉弁４０，４２をコンデンサ８３に蓄えられた電力に基づいて駆動させることができる。
【００４４】
また、自動水栓１は、制御回路７１が、オフ制御からオン制御に切り替えることで昇圧回路８２の昇圧動作によりコンデンサ８３の充電電圧が所定の目標電圧値になった場合に、オン制御からオフ制御に切り替える。
これにより、この自動水栓１は、各センサ６０Ａ，６０Ｂ及び各開閉弁４０，４２によってコンデンサ８３に蓄えられた電力をどの程度消費されたとしても、必ず充電電圧が所定の目標電圧値となるように充電された状態で昇圧回路８２の動作が停止することになる。そのため、再び各センサ６０Ａ，６０Ｂ及び各開閉弁４０，４２を駆動させる際に、コンデンサ８３が充電電圧を所定の目標電圧値で維持しているため、各センサ６０Ａ，６０Ｂ及び各開閉弁４０，４２を安定して動作させることができる。
【００４５】
＜実施例２＞
次に、実施例２について説明する。
実施例２の自動水栓１は、吐水制御が実施例１と異なる。その他の構成は実施例１と同一であり、同一の構成は同一の符号を付し、詳細な説明を省略する。
【００４６】
実施例２の自動水栓１で行われる吐水制御について、図４を用いて説明する。
制御回路７１は、図４に示すように、実施例１の制御回路７１の動作と同様に、時間Ｐ２１の駆動周期で周期的に起動する。昇圧回路８２は、実施例１の昇圧回路８２の動作と同様に、時間Ｐ２２の駆動周期で周期的に起動する。なお、実施例２の制御回路７１は、実施例１の制御回路７１の制御と異なり、電気負荷（各センサ６０Ａ，６０Ｂ、及び各開閉弁４０，４２）の駆動が終了した時点で、昇圧回路８２の動作停止させる構成となっている。具体的には、各センサ６０Ａ，６０Ｂが検知対象物を検知した場合には、各開閉弁４０，４２の動作が終了した時点で、昇圧回路８２の動作を停止させ、各センサ６０Ａ，６０Ｂが検知対象物を検知していない場合には、各センサ６０Ａ，６０Ｂの動作が終了した時点で、昇圧回路８２の動作を停止させる。
【００４７】
実施例２の制御回路７１は、電気負荷（各センサ６０Ａ，６０Ｂ、及び各開閉弁４０，４２）の駆動が終了した時点で、昇圧回路８２の動作停止させる構成となっているため、制御回路７１が起動したタイミングで、コンデンサ８３が目標充電電圧（６Ｖ）となるまで充電されていない。そのため、昇圧回路８２は、時間Ｔ２１で制御回路７１から駆動信号が入力されると、コンデンサ８３が目標充電電圧（６Ｖ）となるまで充電を行う。
【００４８】
そして、制御回路７１は、コンデンサ８３の充電電圧が目標充電電圧（６Ｖ）となったタイミングの後の時間（時間Ｔ２２）で、センサ駆動回路７２に駆動信号を出力して、原水用センサ６０Ａ及び浄水用センサ６０Ｂを駆動させる。原水用センサ６０Ａ及び浄水用センサ６０Ｂは、コンデンサ８３から供給される電力に基づいて、一定の駆動時間（Ｔ２２からＴ２３までの時間）で駆動する。そして、制御回路７１は、各センサ６０Ａ，６０Ｂの駆動が終了した時点（時間Ｔ２３）で、昇圧回路８２の動作を停止させ、ストップモードに移行する。
【００４９】
以上のように、実施例１と同様に、制御回路７１は、昇圧回路８２に対して、昇圧動作を行わせるオン制御と、昇圧動作を行わせないオフ制御と、を切り替える。これにより、昇圧回路８２は、昇圧動作を常時行う構成と比べて、バッテリ８１の消費電力を低減することができる。
【００５０】
続いて、制御回路７１は、時間Ｔ２４（時間Ｔ２１から駆動周期である時間Ｐ２１が経過した時間）で、再び起動し、昇圧回路８２に昇圧動作を行わせるオン制御（駆動信号の出力）を行う。昇圧回路８２は、制御回路７１から駆動信号が入力されると、バッテリ８１からの出力電圧を昇圧して、昇圧した電圧でコンデンサ８３に電力を供給する。そして、昇圧回路８２は、時間Ｔ２４で制御回路７１から駆動信号が入力されると、コンデンサ８３が目標充電電圧（６Ｖ）となるまで充電を行う。
【００５１】
そして、制御回路７１は、コンデンサ８３の充電電圧が目標充電電圧（６Ｖ）となったタイミングの後の時間（時間Ｔ２５）で、センサ駆動回路７２に駆動信号を出力して、原水用センサ６０Ａ及び浄水用センサ６０Ｂを駆動させる。原水用センサ６０Ａ及び浄水用センサ６０Ｂは、コンデンサ８３から供給される電力に基づいて、一定の駆動時間（Ｔ２５からＴ２６までの時間）で駆動する。
【００５２】
センサ駆動回路７２が駆動している間（時間Ｔ２５から間Ｔ２６までの間）に、原水用センサ６０Ａが検知対象物（手など）を検知した場合、検知信号を制御装置７０に出力する。制御装置７０は、原水用センサ６０Ａから検知信号を取得した場合、センサ駆動回路７２に駆動信号を出力して、センサ駆動回路７２を駆動させる。センサ駆動回路７２は、制御装置７０から駆動信号を取得したタイミング（時間Ｔ２６）で、閉塞位置に配置されている状態の原水用開閉弁４０を閉塞位置から開放位置へ移動させる。これにより、自動水栓１は、流出路３４を通じて供給された原水を吐水部１６から吐出する。
【００５３】
センサ駆動回路７２が駆動している間（時間Ｔ２５から間Ｔ２６までの間）に、浄水用センサ６０Ｂが検知対象物（手など）を検知した場合、検知信号を制御装置７０に出力する。制御装置７０は、浄水用センサ６０Ｂから検知信号を取得した場合、センサ駆動回路７２に駆動信号を出力して、センサ駆動回路７２を駆動させる。センサ駆動回路７２は、制御装置７０から駆動信号を取得したタイミング（時間Ｔ２６）で、閉塞位置に配置されている状態の浄水用開閉弁４２を閉塞位置から開放位置へ移動させる。これにより、自動水栓１は、流出路３４を通じて供給された浄水を吐水部１６から吐出する。
【００５４】
原水用開閉弁４０又は浄水用開閉弁４２は、コンデンサ８３から供給される電力に基づいて、センサ駆動回路７２によって時間Ｔ２６から時間Ｔ２７まで駆動制御される。そして、制御回路７１は、原水用開閉弁４０又は浄水用開閉弁４２の駆動が終了した時点（時間Ｔ２７）で、昇圧回路８２の動作を停止させ、ストップモードに移行する。
【００５５】
続いて、制御回路７１は、時間Ｔ２８（時間Ｔ２４から駆動周期である時間Ｐ２１が経過した時間）で、再び起動し、昇圧回路８２に昇圧動作を行わせるオン制御（駆動信号の出力）を行う。昇圧回路８２は、制御回路７１から駆動信号が入力されると、バッテリ８１からの出力電圧を昇圧して、昇圧した電圧でコンデンサ８３に電力を供給する。そして、昇圧回路８２は、時間Ｔ２８で制御回路７１から駆動信号が入力されると、コンデンサ８３が目標充電電圧（６Ｖ）となるまで充電を行う。
【００５６】
そして、制御回路７１は、コンデンサ８３の充電電圧が目標充電電圧（６Ｖ）となったタイミングの後の時間（時間Ｔ２９）で、センサ駆動回路７２に駆動信号を出力して、原水用センサ６０Ａ及び浄水用センサ６０Ｂを駆動させる。
【００５７】
以降、時間Ｔ２１から時間Ｔ３０までの制御と同様に、制御回路７１、昇圧回路８２、及びセンサ駆動回路７２は、間欠的に駆動することになる。
【００５８】
なお、自動水栓１が原水の吐出状態にある場合、原水用センサ６０Ａによる再度の検知対象物の検知によって、原水用開閉弁４０が閉塞位置から開放位置へ移動させられ、止水される。同様に、自動水栓１が浄水の吐出状態にある場合、浄水用センサ６０Ｂによる再度の検知対象物の検知によって、浄水用開閉弁４２が閉塞位置から開放位置へ移動させられ、止水される。
【００５９】
以上のような構成によって、実施例２の自動水栓１においても、制御回路７１が、昇圧回路８２に昇圧動作を行わせるオン制御と、昇圧回路８２に昇圧動作を行わせないオフ制御と、を切り替える構成である。これにより、実施例1と同様に、昇圧動作を継続し続ける構成と比べて、バッテリ８１の消費電力を低減することができる。
【００６０】
本発明は上記記述及び図面によって説明した実施例に限定されるものではなく、例えば次のような実施例も本発明の技術的範囲に含まれる。
（１）実施例１の自動水栓１は、原水用センサ６０Ａ及び浄水用センサ６０Ｂの各々は、赤外線センサによって構成されていたが、人体等を検知するセンサであれば他の構成であってもよく、例えば近接センサとして構成されていてもよい。
（２）実施例１の自動水栓１は、コンデンサ８３に蓄えられた電力によって駆動する電気負荷として、各センサ６０Ａ，６０Ｂ及び各開閉弁４０，４２を例示したが、これらに限定されず、ＬＥＤなどの電気負荷を採用してもよい。
（３）実施例１の自動水栓１は、蓄電部として、コンデンサ８３を例示したが、これらに限定されず、電力を蓄える構成であれば、蓄電池などその他の構成であってもよい。
（４）実施例１の自動水栓１は、浄水を吐出することができる構成としたが、浄水を吐出することができない構成であってもよい。この場合、浄水用センサ６０Ｂ、浄水用開閉弁４２などは不要である。
【符号の説明】
【００６１】
１…自動水栓
１６…吐水部
４０…原水用開閉弁（電気負荷部、電磁弁）
４２…浄水用開閉弁（電気負荷部、電磁弁）
６０Ａ…原水用センサ（電気負荷部、センサ）
６０Ｂ…浄水用センサ（電気負荷部、センサ）
７１…制御回路
８１…バッテリ
８２…昇圧回路
８３…コンデンサ（蓄電部）
【図１】
2020051074.tif 000003
【図２】
2020051074.tif 000004
【図３】
2020051074.tif 000005
【図４】
2020051074.tif 000006